(57)【要約】【課題】マイクロホンの出し口をヘッドホン本体の左右のいずれにも切り替えられるようにするとともに、ヘッドホン本体の左右のスピーカの接続を切り替えられるようにしたヘッドセットを実現すること。【解決手段】スピーカを収納するハウジングケース２２，２３がヘッドバンド２１の両端に取り付けられたヘッドホン本体にマイクブーム２７を介してマイクロホン２８が取り付けられたヘッドセットにおいて、マイクブーム２７をヘッドホン本体に対して前後方向に１８０度回転させることによりマイクロホン２８の出し口を左または右に切り替えることができ、マイクブーム２７の回転に連動して左右のスピーカの接続も切り替えることができる。【選択図】図１
2013157739.tif 000002
【特許請求の範囲】
【請求項１】
スピーカを収納するハウジングケースがヘッドバンドの両端に取り付けられたヘッドホン本体にマイクブームを介してマイクロホンが取り付けられたヘッドセットにおいて、
前記マイクブームの一端は前記ヘッドホン本体に対して前後方向に１８０度回転可能に取り付けられ、
前記ヘッドホン本体には、前記マイクブームの前記ヘッドバンドの端部の延長線上を０度とする前後９０度以内の所定回転角度の回転に連動して前記左右のスピーカの接続を切り替える切替手段が設けられていることを特徴とするヘッドセット。
【請求項２】
前記切替手段は、途中部分に絶縁領域を挟んで半円弧状に形成された接触領域を接触子が０度から１８０度の回転角度で連動して往復摺動回転するように構成された２個のロータリースイッチであることを特徴とする請求項１記載のヘッドセット。
【請求項３】
前記切替手段は、
途中部分に絶縁領域を挟んで半円弧状に形成された接触領域を接触子が０度から１８０度の回転角度で往復摺動回転するように構成され、一端側にはトリガ信号が印加され他端側は接地されたロータリースイッチと、
該ロータリースイッチの出力信号により切替駆動され前記左右のスピーカの接続を切り替える切替スイッチ、
とで構成されていることを特徴とする請求項１記載のヘッドセット。
【請求項４】
前記切替スイッチは半導体スイッチであることを特徴とする請求項３記載のヘッドセット。
【請求項５】
前記マイクブームの回転角度に連動して前記スピーカの左右表示を切り替えることを特徴とする請求項１から請求項４のいずれかに記載のヘッドセット。
【請求項６】
前記マイクブームは、可撓性部材で構成されていることを特徴とする請求項１から請求項５のいずれかに記載のヘッドセット。
【発明の詳細な説明】
【技術分野】
【０００１】
本発明は、ヘッドセットに関し、詳しくは、マイクロホンの出し口を左右切り替え可能なヘッドセットに関するものである。
【０００２】
ヘッドセットは、頭部に装着して使用されるマイクロホンの総称として、ヘッドホンのないマイクロホン単体もヘッドセットとよばれているが、本発明では、ヘッドホン本体にマイクブームを介してマイクロホンが取り付けられているマイクロホン付きヘッドホンをヘッドセットとして説明する。
【０００３】
ヘッドセットは、マイクロホンを手で持つことなく両手が自由に使える状態でマイクロホンを使えること、音源である口とマイクロホンとの距離がマイクブームにより一定に保たれてマイクロホンの音声出力が安定していることなどから、パソコン音声入力、プレゼンテーション、見学展示ガイド、コールセンター、通信回線工事、スポーツクラブインストラクタ、軍用、語学学習、携帯電話、放送現場、演劇やコンサート、各種無線など、多種多様な分野で広く用いられている。
【０００４】
ところで、ヘッドセットのマイクロホンは、ヘッドセットを頭部に装着した状態で、ヘッドホン本体の左側に設けられているマイクブームを介して口の近くにセットできるように構成されているのが一般的であるが、ユーザの好みや、使用環境によっては、ヘッドホン本体の右側からマイクブームを介して口の近くにセットできることが望ましい場合もある。
【０００５】
図５は従来から提案されているマイクロホンの出し口を左右切り替え可能なヘッドセットの一例の概略構成を示す正面図であり、（Ａ）はマイクロホンをヘッドホン本体の右側からマイクブームを介して右出しして使用する場合を示し、（Ｂ）はマイクロホンをヘッドホン本体の左側からマイクブームを介して左出しして使用する場合を示している。図５において、ヘッドバンド１は弾性を有するたとえばプラスチック部材がＵ字形に形成されたものであり、その両端は図示しないスピーカが設けられている左右のハウジングケース２、３の延長端部４、５に挿入されている。
【０００６】
ヘッドバンド１の端部近傍の内面には、それぞれ連続した複数の凹凸溝が形成されている。一方、ハウジングケース２、３の延長端部４、５側には、これらヘッドバンド１の端部近傍内面の凹凸溝に対向し凹凸溝に嵌め合いながら変位するように弾性力により付勢された爪部が形成されている。これらヘッドバンド１側の凹凸溝と延長端部４、５側の爪部により、ヘッドバンド１とハウジングケース２、３が嵌め合う長さを調整できるように結合されている。
【０００７】
ハウジングケース２、３の外表面には、一端にマイクロホン６が接続され他端にはプラグ７が接続されたマイクブーム８を着脱自在に取り付けるための取付部９、１０が設けられている。これら取付部９、１０には、マイクブーム８の他端に接続されているプラグ７を挿入する挿入口１１、１２が設けられている。
【０００８】
図５（Ａ）に示すようにマイクロホンをヘッドホン本体の右側からマイクブームを介して右出しして使用する場合には、マイクブーム８の他端に接続されているプラグ７を右側のハウジングケース２の外表面に設けられている取付部９の挿入口１１に挿入する。
【０００９】
これに対し、図５（Ｂ）に示すようにマイクロホンをヘッドホン本体の左側からマイクブームを介して左出しして使用する場合には、マイクブーム８の他端に接続されているプラグ７を左側のハウジングケース３の外表面に設けられている取付部１０の挿入口１２に挿入する。
【００１０】
図６は図５のヘッドセットにおける内部接続図であり、図５と共通する部分には同一の符号を付けてそれらの再説明は適宜省略する。挿入口１１、１２の内部にはそれぞれ２個の端子が設けられていて、これら２個の端子は並列に接続されている。２個の端子の一方はＧＮＤ（グラウンド）端子１３に接続され、他方はマイク出力系統に接続されていて、マイクブーム８の他端に接続されているプラグ７が挿入口１１または１２の所定位置まで挿入されることによりプラグ７とこれら端子が接触し、マイクロホン６はこれら端子と電気的に接続されることになる。
【００１１】
右側のハウジングケース２に設けられているスピーカの一方の端子はＧＮＤ（グラウンド）端子１３に接続されて他方の端子は右チャンネル信号のＲｃｈ入力端子１４に接続され、左側のハウジングケース３に設けられているスピーカの一方の端子はＧＮＤ（グラウンド）端子１３に接続されて他方の端子は左チャンネル信号のＬｃｈ入力端子１５に接続されている。
【００１２】
特許文献１には、先端にマイクロホンが取り付けられている可撓性パイプよりなる支持アームを位置調節機構または方向調節機構を介してイヤカップ部に取り付けたマイクロホン付ヘッドホンの構造が記載されている。
【００１３】
特許文献２には、マイクを支持するアームをヘッドホンに対して上下方向に回転可能に取り付け、アームを上下方向に回転させることにより、マイクとスピーカとを切り替えることができる携帯電話機に用いられるマイク付ヘッドホンの構成が記載されている。
【００１４】
特許文献３には、ホーン本体に取り付けられているマイクアームの回動に連動してマイクロスイッチをＯＮ，ＯＦＦ駆動し、マイクをＯＮ，ＯＦＦするブームホーンの構成が記載されている。
【００１５】
これら特許文献に記載されている発明は、いずれもマイクブームがヘッドホン本体に回転可能に取り付けられている点では本発明と共通しているが、本発明のようにマイクブームの回転に連動して左右のスピーカの接続を切り替えることについての記載はいずれの特許文献にもない。
【先行技術文献】
【特許文献】
【００１６】
【特許文献１】実開平７−１６８５号公報
【特許文献２】特開２００１−２６８１８２号公報
【特許文献３】実公昭６１−６７０８号公報
【発明の概要】
【発明が解決しようとする課題】
【００１７】
しかし、図５に示す従来の構造によれば、左右両側のハウジングケース２、３の外表面にマイクブーム８を着脱自在に取り付けるための取付部９、１０が設けられ、これら取付部９、１０にはマイクブーム８の他端に接続されているプラグ７を挿入する挿入口１１、１２が設けられているので、常にいずれか一方の挿入口１１、１２は開口されたままの状態になり、外観上のデザインとしてはあまり好ましくない。
【００１８】
また、マイクブーム８を挿入口１１または１２に抜き差しして着脱できることから、抜いたマイクブーム８を紛失してしまうおそれがある。
【００１９】
さらに、マイクブーム８を挿入口１１または１２に挿入することにより、接点を介してマイクロホンの出力信号系統を電気的に接続するように構成されているので、接点が接触不良を生じるおそれもある。
【００２０】
本発明は、これらの課題を解決するものであり、その目的は、マイクブームを回転させることによりマイクロホンの出し口をヘッドホン本体の左右のいずれにも切り替えられるようにするとともに、マイクブームの回転に連動してヘッドホン本体の左右のスピーカの接続を切り替えるようにしたヘッドセットを実現することにある。
【課題を解決するための手段】
【００２１】
このような課題を達成するために、本発明のうち請求項１記載の発明は、スピーカを収納するハウジングケースがヘッドバンドの両端に取り付けられたヘッドホン本体にマイクブームを介してマイクロホンが取り付けられたヘッドセットにおいて、前記マイクブームの一端は前記ヘッドホン本体に対して前後方向に１８０度回転可能に取り付けられ、前記ヘッドホン本体には、前記マイクブームの前記ヘッドバンドの端部の延長線上を０度とする前後９０度以内の所定回転角度の回転に連動して前記左右のスピーカの接続を切り替える切替手段が設けられていることを特徴とする。
【００２２】
請求項２記載の発明は、請求項１記載のヘッドセットにおいて、前記切替手段は、途中部分に絶縁領域を挟んで半円弧状に形成された接触領域を接触子が０度から１８０度の回転角度で連動して往復摺動回転するように構成された２個のロータリースイッチであることを特徴とする。
【００２３】
請求項３記載の発明は、請求項１記載のヘッドセットにおいて、前記切替手段は、途中部分に絶縁領域を挟んで半円弧状に形成された接触領域を接触子が０度から１８０度の回転角度で往復摺動回転するように構成され、一端側にはトリガ信号が印加され他端側は接地されたロータリースイッチと、該ロータリースイッチの出力信号により切替駆動され前記左右のスピーカの接続を切り替える切替スイッチ、とで構成されていることを特徴とする。
【００２４】
請求項４記載の発明は、請求項３記載のヘッドセットにおいて、前記切替スイッチは半導体スイッチであることを特徴とする。
【００２５】
請求項５記載の発明は、請求項１から請求項４のいずれかに記載のヘッドセットにおいて、前記マイクブームの回転角度に連動して前記スピーカの左右表示を切り替えることを特徴とする。
【００２６】
請求項６記載の発明は、請求項１から請求項５のいずれかに記載のヘッドセットにおいて、前記マイクブームは、可撓性部材で構成されていることを特徴とする。
【発明の効果】
【００２７】
請求項１に係る発明によれば、マイクブームをヘッドバンドの端部の延長線上を０度とする前後９０度以内の所定の回転角度回転させることにより、マイクロホンの出し口を左から右または右から左に切り替えることができ、マイクブームの回転に連動して左右のスピーカの接続も切り替えることができる。
【００２８】
請求項２に係る発明によれば、連動して往復摺動回転する２個のロータリースイッチの接触子が絶縁領域を挟んで一方の接触領域から他方の接触領域に摺動することにより、左右のスピーカの接続が切り替わることになる。
【００２９】
請求項３に係る発明によれば、左右のスピーカの接続は、ロータリースイッチの出力信号で駆動される切替スイッチにより切り替えられる。
【００３０】
請求項４に係る発明によれば、左右のスピーカの接続は機械的な接点のない半導体スイッチで切り替えられるので、機械的な接点の接触不良に起因する雑音が発生することはない。
【００３１】
請求項５に係る発明によれば、ユーザは、スピーカに切替表示される左右の表示から、現時点におけるスピーカの左右の接続状態を目視確認できる。
【００３２】
請求項６に係る発明によれば、マイクブームを任意の方向に変形させることができ、ユーザはマイクロホンを自分に合った最適な位置に設定できる。
【図面の簡単な説明】
【００３３】
【図１】本発明の実施の形態例の概略構成を示す正面図である。
【図２】図１のヘッドセットにおける内部接続図である。
【図３】図２の回路における２個の切替スイッチＳＷ１、ＳＷ２の具体例を示す構成図である。
【図４】図２の回路における２個の切替スイッチＳＷ１、ＳＷ２の他の具体例を示す構成図である。
【図５】従来から提案されているマイクロホンの出し口を左右切り替え可能なヘッドセットの一例の概略構成を示す正面図である。
【図６】図５のヘッドセットにおける内部接続図である。
【発明を実施するための形態】
【００３４】
図１は本発明の実施の形態例の概略構成を示す正面図であり、（Ａ）はマイクロホンをヘッドホン本体の右側からマイクブームを介して右出しして使用する場合を示し、（Ｂ）はマイクロホンをヘッドホン本体の左側からマイクブームを介して左出しして使用する場合を示している。
【００３５】
図１において、ヘッドバンド２１は弾性を有するたとえばプラスチック部材がＵ字形に形成されたものであり、その両端は図示しないスピーカが設けられている左右のハウジングケース２２、２３の延長端部２４、２５に挿入されている。
【００３６】
一方のハウジングケース２２の外表面には、先端にマイクロホン２８が接続されたマイクブーム２７の端部が固着された取付部２６が軸Ａを中心にして矢印Ｂの方向に１８０度回転可能に設けられている。マイクブーム２７は、任意の方向に変形できるようにたとえば可撓性部材で構成されたものを用いる。これらマイクロホン２８とマイクブーム２７および取付部２６はマイクユニットを構成する。
【００３７】
取付部２６の内部には、マイクブーム２７の回転に連動してヘッドホン本体の左右のスピーカの接続を切り替える切替手段が設けられている。
【００３８】
取付部２６の側面の前面と背面には、ハウジングケース２２に設けられているスピーカが右チャンネル信号と左チャンネル信号のいずれの系統に接続されているかを表示する表示窓２９と３０が設けられている。（Ａ）では右チャンネル信号の系統に接続されていることを表す「Ｒ」が表示されている表示窓２９を示し、（Ｂ）では左チャンネル信号の系統に接続されていることを表す「Ｌ」が表示されている表示窓３０を示している。
【００３９】
ユーザは、これら表示窓２９または３０に表示されている「Ｒ」または「Ｌ」を目視確認することにより、ハウジングケース２２に設けられているスピーカが右チャンネル信号と左チャンネル信号のいずれの系統に接続されているかを的確に把握できる。
【００４０】
（Ａ）に示す右出し状態において、マイクブーム２７を軸Ａを中心にして矢印Ｂの方向に１８０度回転させるとともに、ヘッドバンド２１をヘッドバンド２１の中心を軸Ｃとして矢印Ｄで示す時計方向に１８０度回転させると、（Ｂ）に示す左出し状態になる。
【００４１】
そして、（Ｂ）に示す左出し状態において、マイクブーム２７を軸Ａを中心にして矢印Ｅの方向に１８０度回転させるとともに、ヘッドバンド２１をヘッドバンド２１の中心を軸Ｃとして矢印Ｆで示す時計方向に１８０度回転させると、再び（Ａ）に示す右出し状態になる。
【００４２】
図２は図１のヘッドセットにおける内部接続図であり、図１と共通する部分には同一の符号を付けてそれらの再説明は適宜省略する。取付部２６の内部には、マイクブーム２７の回転に連動してヘッドホン本体の左右のハウジングケース２２、２３にそれぞれ設けられているスピーカの接続を切り替える切替手段として、ヘッドホン本体におけるヘッドバンド２１の端部（ハウジングケース２２の延長端部２４）の延長線上を０度とした軸Ａを中心とする前後９０度以内の範囲の所定角度（たとえば３０度や５０度など）のマイクブーム２７の回転に連動して切り替え駆動される２個の切替スイッチＳＷ１、ＳＷ２が設けられている。
【００４３】
第１の切替スイッチＳＷ１の一方の固定接点ａは右側のハウジングケース２２に設けられているスピーカの一方の端子に接続され、他方の固定接点ｂは左側のハウジングケース２３に設けられているスピーカの一方の端子に接続され、可動接点ｃは右チャンネル信号のＲｃｈ入力端子３２に接続されている。
【００４４】
第２の切替スイッチＳＷ２の一方の固定接点ａは第１の切替スイッチＳＷ１の他方の固定接点ｂとともに左側のハウジングケース２３に設けられているスピーカの一方の端子に接続され、他方の固定接点ｂは第１の切替スイッチＳＷ１の一方の固定接点ａとともに右側のハウジングケース２２に設けられているスピーカの一方の端子に接続され、可動接点ｃは左チャンネル信号のＬｃｈ入力端子３３に接続されている。なお、ヘッドホン本体の左右のハウジングケース２２、２３にそれぞれ設けられているスピーカの他方の端子は、電気的にＧＮＤ端子３１に接続されている。
【００４５】
２個の切替スイッチＳＷ１、ＳＷ２に設けられている可動接点ｃは、（Ａ）に示す右出し状態では一方の固定接点ａに接続されるように連動駆動され、（Ｂ）に示す左出し状態では他方の固定接点ｂに接続されるように連動駆動される。
【００４６】
この結果、（Ａ）に示す右出し状態では、右側のハウジングケース２２に設けられているスピーカにはＲｃｈ入力端子３２が接続されて右チャンネル信号が入力され、左側のハウジングケース２３に設けられているスピーカにはＬｃｈ入力端子３３が接続されて左チャンネル信号が入力される。
【００４７】
そして、（Ｂ）に示す左出し状態では、右側のハウジングケース２２に設けられているスピーカにはＬｃｈ入力端子３３が接続されて左チャンネル信号が入力され、左側のハウジングケース２３に設けられているスピーカにはＲｃｈ入力端子３２が接続されて右チャンネル信号が入力されることになる。
【００４８】
これらスピーカ接続の切替状態は、前述のように、取付部２６の側面の前面と背面に設けられている表示窓２９または３０の「Ｒ」または「Ｌ」の表示に基づいて目視確認できる。
【００４９】
図３は図２の回路における２個の切替スイッチＳＷ１、ＳＷ２の具体例を示す構成図であり、図２と共通する部分には同一の符号を付けている。図３において、切替スイッチＳＷ１、ＳＷ２は、途中部分に絶縁領域ｄを挟んで半円弧状に形成された接触領域ａ、ｂを接触子ｃが０度から１８０度の回転角度で往復摺動回転するロータリースイッチとして構成されている。
【００５０】
これらロータリースイッチにおいて、一方の接触領域ａは切替スイッチの一方の固定接点ａとして機能し、他方の接触領域ｂは他方の固定接点ｂとして機能し、接触子ｃは可動接点ｃとして機能する。
【００５１】
これらロータリースイッチの接触子ｃは、（Ａ）に示す右出し状態では一方の接触領域ａに接続されるように連動駆動され、（Ｂ）に示す左出し状態では他方の接触領域ｂに接続されるように連動駆動される。
【００５２】
このように構成されたロータリースイッチによるマイクブーム２７の回転に連動したヘッドホン本体の左右のハウジングケース２２、２３にそれぞれ設けられているスピーカの接続切替動作は図２と同様であり、それらの動作説明は省略する。
【００５３】
図４は図２の回路における２個の切替スイッチＳＷ１、ＳＷ２の他の具体例を示す構成図であり、図２および図３と共通する部分には同一の符号を付けている。図４において、切替スイッチＳＷ１、ＳＷ２は、途中部分に絶縁領域ｄを挟んで半円弧状に形成された接触領域ａ、ｂを接触子ｃが０度から１８０度の回転角度で往復摺動回転するロータリースイッチＳＷ３と、このロータリースイッチＳＷ３の出力信号により電子的に切替駆動されてヘッドホン本体の左右のハウジングケース２２、２３にそれぞれ設けられている左右のスピーカの接続を切り替える切替スイッチＳＷ４とで構成されている。
【００５４】
ロータリースイッチＳＷ３の一方の接触領域ａは２値化信号のＨレベルとなる所定の電圧+Ｖを供給する電源線に接続され、他方の接触領域ｂは電気的にＧＮＤ端子３１に接続されている。
【００５５】
切替スイッチＳＷ４は、図２の切替スイッチＳＷ１、ＳＷ２や図３のロータリースイッチと同様の切替機能を有するもので、Ｈ／Ｌレベルの２値化信号をトリガ信号として切替駆動される半導体スイッチよりなる２個の切替スイッチ素子ｓｄ１、ｓｄ２で構成されている。
【００５６】
第１の切替スイッチ素子ｓｄ１の一方の固定接点ａ１は右側のハウジングケース２２に設けられているスピーカの一方の端子に接続され、他方の固定接点ｂ１は左側のハウジングケース２３に設けられているスピーカの一方の端子に接続され、可動接点ｃ１は右チャンネル信号のＲｃｈ入力端子３２に接続されている。
【００５７】
第２の切替スイッチ素子ｓｄ２の一方の固定接点ａ２は第１の切替スイッチ素子ｓｄ１の他方の固定接点ｂ１とともに左側のハウジングケース２３に設けられているスピーカの一方の端子に接続され、他方の固定接点ｂ２は第１の切替スイッチ素子ｓｄ１の一方の固定接点ａ１とともに右側のハウジングケース２２に設けられているスピーカの一方の端子に接続され、可動接点ｃ２は左チャンネル信号のＬｃｈ入力端子３３に接続されている。なお、ヘッドホン本体の左右のハウジングケース２２、２３にそれぞれ設けられているスピーカの他方の端子は、電気的にＧＮＤ端子３１に接続されている。
【００５８】
このような構成において、ロータリースイッチＳＷ３の接触子ｃは、（Ａ）に示す右出し状態では一方の接触領域ａに接続されるように駆動され、（Ｂ）に示す左出し状態では他方の接触領域ｂに接続されるように駆動される。
【００５９】
ロータリースイッチＳＷ３の接触子ｃから切替スイッチＳＷ４に駆動信号として入力される信号レベルに着目すると、（Ａ）に示す右出し状態では２値化信号のＨレベルとなる所定の電圧+Ｖになり、（Ｂ）に示す左出し状態では２値化信号のＬレベルとなるＧＮＤになる。
【００６０】
切替スイッチＳＷ４を構成する切替スイッチ素子ｓｄ１、ｓｄ２の可動接点ｃ１、ｃ２は、Ｈレベルの駆動信号が入力されることにより一方の固定接点ａ１、ａ２に接続されるように連動駆動され、Ｌレベルの駆動信号が入力されることにより他方の固定接点ｂ１、ｂ２に接続されるように連動駆動される。
【００６１】
これにより、図２および図３と同様に、マイクブーム２７の回転に連動したヘッドホン本体の左右のハウジングケース２２、２３にそれぞれ設けられているスピーカの接続切替動作が行われる。
【００６２】
図４の構成によれば、左右のスピーカの接続は機械的な接点のない半導体スイッチで切り替えられるので、機械的な接点の接触不良に起因する雑音が発生することはない。
【００６３】
以上の説明から明らかなように、本発明によれば、マイクブームを回転させることによりマイクロホンの出し口をヘッドホン本体の左右のいずれにも切り替えられるとともに、マイクブームの回転に連動してヘッドホン本体の左右のスピーカの接続を切り替えることができ、さらに、左右のスピーカの接続状態を表示窓の表示で目視確認できる。
【００６４】
また、マイクブームを可撓性部材で構成することにより、マイクブームを任意の方向に変形させることができるので、ユーザはマイクロホンを自分に合った最適な位置に設定できるが、任意調整が不要な場合にはマイクブームは固定部材で構成してもよい。
【符号の説明】
【００６５】
２１  ：  ヘッドバンド
２２、２３  ：  ハウジングケース
２４、２５  ：  延長端部
２６  ：  取付部
２７  ：  マイクブーム
２８  ：  マイクロホン
２９、３０  ：  表示窓
３１  ：  ＧＮＤ端子
３２  ：  Ｒｃｈ入力端子
３３  ：  Ｌｃｈ入力端子
ＳＷ１、ＳＷ２、ＳＷ４  ：  切替スイッチ
ＳＷ３  ：  ロータリースイッチ
【図１】
2013157739.tif 000003
【図２】
2013157739.tif 000004
【図３】
2013157739.tif 000005
【図４】
2013157739.tif 000006
【図５】
2013157739.tif 000007
【図６】
2013157739.tif 000008